(57)【要約】【課題】清掃作業員の労力を必要とすることなく、簡単な構成によって乗かごのかご床を清掃することができるエレベータのかご床清掃装置を提供する。【解決手段】エレベータかご床清掃装置において、エレベータの乗かご２の側面部８の下部に設けられた第１開口１１と、乗かご２の他の側面部８の下部に設けられた第２開口１２とを備える。さらに、第１開口１１から乗りかご２内に乗かご２の床面に沿って空気を吹き出す送風装置１３と、乗りかご２内の空気を第２開口１２から吸い込んで乗かご２外に排気する排気装置１４とを備える。【選択図】    図２
2011051673.tif 000002
【特許請求の範囲】
【請求項１】
エレベータの乗かごの側面の下部に設けられた第１開口と、
前記乗かごの他の側面の下部に設けられた第２開口と、
前記乗かごに設けられ、前記第１開口から前記乗りかご内に前記乗かごの床面に沿ってかご床近傍を通流する空気を吹き出す送風装置と、
前記乗かごに設けられ、前記乗りかご内の空気を前記第２開口から吸い込んで前記乗かご外に排気する排気装置と、
を備えることを特徴とするエレベータのかご床清掃装置。
【請求項２】
前記乗かごに、前記排気装置により排気された空気と共に前記乗かご外に排出されたゴミを収容するゴミ受け部が設けられていることを特徴とする請求項１記載のエレベータのかご床清掃装置。
【請求項３】
前記第１開口から前記乗かご内に吹き出す空気の向きを可変させる風向可変部材を備えることを特徴とする請求項１又は２記載のエレベータのかご床清掃装置。
【請求項４】
前記乗りかご内の人の有無を検出するセンサと、前記乗かご内に人がいない場合に前記送風装置と前記排気装置とを駆動させる手段とを備えることを特徴とする請求項１ないし３のいずれか一項に記載のエレベータのかご床清掃装置。
【請求項５】
前記第１開口と前記第２開口とに、指などの入り込みを阻止する防護カバーが設けられていることを特徴とする請求項１ないし４のいずれか一項に記載のエレベータのかご床清掃装置。
【請求項６】
前記送風装置の吸込側に、吸い込む空気中に含まれる塵埃を除去可能なフィルタが設けられていることを特徴とする請求項１ないし５のいずれか一項に記載のエレベータのかご床清掃装置。
【発明の詳細な説明】
【技術分野】
【０００１】
本発明は、エレベータの乗かごのかご床を清掃するエレベータのかご床清掃装置に関する。
【背景技術】
【０００２】
エレベータの乗かごのかご床清掃作業は、掃除機等を携帯した清掃作業員が乗りかご内に乗り込んで行なっていた。
【０００３】
また、下記特許文献１に記載されたように、かご床面上を摺動するワイパーを設け、ワイパーを摺動させることによりかご床面上に溜まった水を排除するようにしたエレベータのかご床清掃装置が知られている。
【先行技術文献】
【特許文献】
【０００４】
【特許文献１】特開平０９−４０３３７号公報
【発明の概要】
【発明が解決しようとする課題】
【０００５】
乗かごのかご床清掃作業を、清掃作業員が乗りかご内に乗り込んで行なう場合には、清掃作業員の多大な労力が必要となる。
【０００６】
また、特許文献１に記載されたエレベータのかご床清掃装置では、乗りかご内にワイパーを設け、さらに、そのワイパーをかご床面上に沿って摺動させる機構を設ける必要があり、かご床清掃装置の構造が複雑になっている。
【０００７】
本発明はこのような課題を解決するためになされたもので、その目的は、清掃作業員の労力を必要とすることなく、簡単な構成によって乗かごのかご床を清掃することができるエレベータのかご床清掃装置を提供することである。
【課題を解決するための手段】
【０００８】
本発明の実施の形態に係る第１の特徴は、エレベータのかご床清掃装置において、エレベータの乗かごの側面の下部に設けられた第１開口と、前記乗かごの他の側面の下部に設けられた第２開口と、前記乗かごに設けられ、前記第１開口から前記乗りかご内に前記乗かごの床面に沿ってかご床近傍を通流する空気を吹き出す送風装置と、前記乗かごに設けられ、前記乗りかご内の空気を前記第２開口から吸い込んで前記乗かご外に排気する排気装置と、を備えることである。
【発明の効果】
【０００９】
本発明によれば、乗かごのかご床の清掃を、清掃作業員の労力を必要とすることなく、及び、簡単な構造の装置によって行なうことができる。
【図面の簡単な説明】
【００１０】
【図１】本発明の第１の実施の形態の乗りかごの全体を示す縦断正面図である。
【図２】かご床清掃装置を拡大して示す乗かごの縦断正面図である。
【図３】フィルタの取付構造を示す斜視図である。
【図４】第１開口への防護カバーの取付構造を示す斜視図である。
【図５】ゴミ受け部の配置構造を示す斜視図である。
【図６】送風ファンと排気ファンとを駆動させる制御系を示すブロック図である。
【図７】本発明の第２の実施の形態を示す乗りかご内の平面図である。
【図８】本発明の第３の実施の形態を示す乗かごの縦断正面図である。
【図９】本発明の第４の実施の形態を示す乗りかご内の平面図である。
【図１０】本発明の第５の実施の形態を示す乗かごの縦断正面図である。
【発明を実施するための形態】
【００１１】
以下、本発明の実施の形態を図面を用いて説明する。
【００１２】
（第１の実施の形態）
本発明の第１の実施の形態を、図１ないし図６に基づいて説明する。建物内にエレベータ昇降路１が形成され、エレベータ昇降路１内に乗かご２が昇降可能に設置されている。
【００１３】
乗かご２は、防振用の弾性部材３を介してかご枠４に保持されている。かご枠４の上部にはエレベータロープ５の一端が連結され、エレベータロープ５は巻上装置（図示せず）に巻き掛けられ、エレベータロープ５の他端にはつり合い重り（図示せず）が連結されている。エレベータの運行時に巻上装置が駆動されることにより、かご枠４と乗かご２とがエレベータ昇降路１内を相反する方向に昇降する。
【００１４】
乗かご２は、かご床６と、天井板７と、４つの側面部８とに囲まれて形成されている。一つの側面部８には、乗かご２内に出入りする出入口（図示せず）が形成され、その出入口を開閉するかごドア（図示せず）が設けられている。他の側面部８は、下端部に設けられた幅木９と、幅木９の上に位置する側板１０とを備えている。
【００１５】
出入口が形成された側面部８と直交して位置する２つの側面部８のうち、一方の側面部８の幅木９には横方向に細長い第１開口１１が形成され、他方の側面部８の幅木９には横方向に細長い第２開口１２が形成されている。第１開口１１と第２開口１２とは、それぞれの側面部８の横幅方向の略全体に亘って形成されている。
【００１６】
乗かご２には、送風装置である送風ファン１３と排気装置である排気ファン１４とが設けられている。
【００１７】
送風ファン１３は、エレベータ昇降路１内の空気を吸い込み、吸い込んだ空気を、第１開口１１から乗かご２内にかご床６の床面に沿ってかご床６近傍を通流するように吹き出す。送風ファン１３の吸込側には、図２及び図３に示すように、吸い込む空気中に含まれる塵埃を除去可能なフィルタ１５が取付けられている。また、第１開口１１には、図１及び図４に示すように、指などの入り込みを阻止する防護カバー１６が取付けられている。
【００１８】
排気ファン１４は、乗かご２内の空気を第２開口１２から吸い込み、吸い込んだ空気を乗かご２外であるエレベータ昇降路１内に排気する。
【００１９】
乗かご２には、図１及び図２に示すように、排気ファン１４の排気方向の下方に位置してゴミ受け部１７が設けられている。ゴミ受け部１７は、中空の箱状に形成され、排気ファン１４によって排気された空気と共に乗りかご２外にゴミ１８が排出された場合、そのゴミ１８を収容する。ゴミ受け部１７の入口側には、ゴミ受け部１７内に一旦収容されたゴミ１８が舞い上がってゴミ受け部１７外に漏れ出すことを防止するための逆止弁１９が設けられている。また、第２開口１２には、図１及び図２に示すように、指などの入り込みを阻止する防護カバー２０が取付けられている。
【００２０】
図６は、送風ファン１３と排気ファン１４とを駆動させる制御系を示すブロック図である。送風ファン１３と排気ファン１４とが制御部２１に接続され、さらに、この制御部２１には、乗かご２内の人の有無を検出する人感センサ等のセンサ２２が接続されている。
【００２１】
このような構成において、センサ２２の検出結果に基づいて乗かご２内に人が居ないと判断された場合に、制御部２１内に設けられている送風ファン１３と排気ファン１４とを駆動させる手段によって、送風ファン１３と排気ファン１４とが駆動される。
【００２２】
送風ファン１３が駆動されることにより、エレベータ昇降路１内の空気が送風ファン１３により吸い込まれ、送風ファン１３に吸い込まれた空気は第１開口１１から乗かご２内にかご床６の床面に沿って吹き出し、吹き出した空気はかご床６近傍を第２開口１２に向けて通流する。かご床６の床面上にゴミ１８が存在する場合、そのゴミ１８は、第１開口１１から吹き出す空気により第２開口１２に向けて運ばれる。
【００２３】
一方、排気ファン１４が駆動されることにより、乗かご２内の空気が第２開口１２から吸い込まれ、吸い込まれた空気はエレベータ昇降路１内に排気される。そして、乗かご２内の空気が第２開口１２から吸い込まれる場合、送風ファン１３から吹き出した空気により第２開口１２側に運ばれていたゴミ１８が第２開口１２から吸い込まれ、このゴミ１８は排気ファン１４から乗かご２外に排出されるとともにゴミ受け部１７内に落下して収容される。
【００２４】
したがって、送風ファン１３と排気ファン１４とを駆動させることにより、清掃作業員の労力を必要とすることなく、乗かご２のかご床清掃を行なうことができる。しかも、このかご床清掃を行なうための装置は、乗かご２の側面部８に形成した第１開口１１と第２開口１２、及び、送風ファン１３と排気ファン１４とにより構成されており、構造が簡単で安価な装置となっている。
【００２５】
送風ファン１３を駆動させてエレベータ昇降路１内の空気を乗かご２内に送風する場合において、エレベータ昇降路１内の空気に塵埃が含まれていても、送風ファン１３の吸込側に取付けられているフィルタ１５によってその塵埃を除去することができ、塵埃を除去した清浄な空気を乗かご２内に送風することができる。
【００２６】
また、第１開口１１と第２開口１２とには防護カバー１６，２０が取付けられているため、エレベータ利用者等がこれらの第１開口１１や第２開口１２から手などをいれて怪我をするという事故の発生を防止することができる。
【００２７】
排気ファン１４の駆動により乗かご２内のゴミ１８が乗かご２外に排出された場合において、そのゴミ１８はゴミ受け部１７に収容されるため、乗かご２内から排出されたゴミ１８によってエレベータ昇降路１内に設置されている各種の機器が汚されるということを防止することができる。
【００２８】
なお、第１の実施の形態では、送風ファン１３と排気ファン１４とを駆動させて乗かご２のかご床清掃を行なうタイミングを、センサ２２の検出結果に応じて乗かご２内に人が居ない場合としたが、かご床清掃を行なうタイミングは別のタイミングで設定してもよい。例えば、乗かご２が一定時間停止している場合や、かご床に一定時間荷重がかかっていない場合や、乗かご２内の照明が消灯された場合等のタイミングで、かご床清掃を行なうようにしてもよい。
【００２９】
また、センサ２２の検出結果によらず、送風ファン１３と排気ファン１４とを任意に駆動させるスイッチを設けてもよい。かご床６の汚れがひどい場合などにおいて、スイッチをオンさせることにより送風ファン１３と排気ファン１４とを駆動させ、任意にかご床清掃を行なうことができる。
【００３０】
また、第１の実施の形態では、第１開口１１と第２開口１２とを対向した位置に配置した場合を例に挙げて説明したが、これらの第１開口１１と第２開口１２とを対向する位置以外の位置に設置してもよく、例えば、隣接する位置に設置してもよい。
【００３１】
また、送風ファン１３と排気ファン１４とに関しては、それぞれユニット化し、着脱をワンタッチで行なえるようにすることが好適である。これにより、乗りかご２への取付け作業や、保守点検時の乗かご２からの取外し作業等を容易に行なえるようになる。  
（第２の実施の形態）
本発明の第２の実施の形態を、図７に基づいて説明する。なお、第２の実施の形態及びその他の実施の形態において、先行して説明した実施の形態の構成要素と同じ構成要素には同じ符号を付け、重複する説明は省略する。
【００３２】
第２の実施の形態のエレベータのかご床清掃装置には、第１開口１１に、乗かご２内に吹き出す空気の向きをかご床６の床面に沿って可変させる風向可変部材である複数のフィン２３が設けられている。複数のフィン２３は、モータ（図示せず）により駆動されて水平方向に回動する。例えば、図７において実線で示す位置と、破線で示す位置とに回動する。
【００３３】
このような構成において、送風ファン１３と排気ファン１４とを駆動させてかご床清掃を行なっている場合に、フィン２３を回動させる。フィン２３を実線で示す位置に回動させることにより、第１開口１１から吹き出す空気の向きが実線で示すようになり、また、フィン２３を破線で示す位置に回動させることにより、第１開口１１から吹き出す空気の向きが破線で示すようになる。このようにフィン２３を回動させることにより、乗かご２内の隅々に送風することができ、乗かご２の隅々まで清掃することができるようになる。
【００３４】
（第３の実施の形態）
本発明の第３の実施の形態を、図８に基づいて説明する。
【００３５】
第３の実施の形態のエレベータのかご床清掃装置には、第１の実施の形態で説明した送風ファン１３に代えて、圧縮空気排出機２４が送風装置として設けられている。この圧縮空気排出機２４は、送風ファン１３と比較して吹き出す空気圧を高めることができる。
【００３６】
このような構成において、圧縮空気排出機２４から空気圧の高い空気を吹き出させることにより、かご床６の床面上にゴミ１８が存在する場合、そのゴミ１８は、第２開口１２側に確実に運ばれ、乗かご２のかご床６の清掃能力を高めることができる。
【００３７】
（第４の実施の形態）
本発明の第４の実施の形態を、図９に基づいて説明する。
【００３８】
第４の実施の形態のエレベータのかご床清掃装置には、第１開口１１と、乗かご２の出入口２５と対向する側面部８に位置する２つ目の第１開口２６と、第１開口１１と対向する側面部８に位置する第２開口１２ａとが形成されている。
【００３９】
第１開口２６は、この第１開口２６が形成された側面部８の横幅方向のうち、第２開口１２ａが形成されている側に寄った約１／３の範囲に形成されている。
【００４０】
第２開口１２ａは、この第２開口１２ａが形成された側面部８の横幅寸法のうち、第１開口２６が形成されている側から離反した方向の約１／３の範囲に形成されている。
【００４１】
乗かご２には、エレベータ昇降路１内の空気を吸い込み、吸い込んだ空気を、第１開口２６から乗かご２内にかご床６の床面に沿って吹き出す送風装置である送風ファン２７が設けられている。送風ファン２７の吸込側には、吸い込む空気中に含まれる塵埃を除去可能なフィルタ（図示せず）が設けられている。また、第１開口２６には、指などの入り込みを阻止する防護カバー（図示せず）が取付けられている。
【００４２】
また、乗かご２には、乗かご２内の空気を第２開口１２ａから吸い込んで乗かご２外に排気する排気装置である排気ファン１４ａが設けられている。第２開口１２ａには、指などの入り込みを阻止する防護カバー（図示せず）が取付けられている。
【００４３】
このような構成において、エレベータのかご床清掃を行なう場合には、最初に送風ファン１３を駆動させ、ついで、送風ファン２７を駆動させる。これにより、乗かご２内のゴミ１８は第２開口１２ａの正面部分に集まり、ついで、排気ファン１４ａを駆動させることにより、第２開口１２ａの正面部分に集まったゴミ１８が乗かご２外に排出される。
【００４４】
（第５の実施の形態）
本発明の第５の実施の形態を図１０に基づいて説明する。
【００４５】
第５の実施の形態のエレベータのかご床清掃装置には、第１開口１１が形成された側の側面部８に案内カバー２８が取り付けられている。この案内カバー２８は、第２開口１２に向けて張り出し、第１開口１１から吹き出した空気を第２開口１２に向けて案内する。さらに、第２開口１２が形成された側の側面部８に案内カバー２９が取付けられている。この案内カバー２９は、第１開口１１に向けて張り出し、第１開口１１から吹き出した空気を第２開口１２に向けて案内する。
【００４６】
このような構成において、第１開口１１から吹き出した空気は案内カバー２８とかご床６とに挟まれた狭い範囲を風圧を高めた状態で進行し、及び、第２開口１２から吸い込まれる空気は案内カバー２９とかご床６とに挟まれた狭い範囲を風圧を高めた状態で進行する。
【００４７】
これにより、乗かご２内のゴミ１８を運ぶ空気の力が強くなり、かご床清掃の作業能力を高めることができる。
【符号の説明】
【００４８】
２      乗かご
１１      第１開口
１２      第２開口
１２ａ    第２開口
１３      送風ファン（送風装置）
１４      排気ファン（排気装置）
１５      フィルタ
１６      防護カバー
１７      ゴミ受け部
２０      防護カバー
２２      センサ
２３      フィン（風向可変部材）
２４      圧縮空気排出機（送風装置）
２６      第１開口
２７      送風ファン（送風装置）
【図１】
2011051673.tif 000003
【図２】
2011051673.tif 000004
【図３】
2011051673.tif 000005
【図４】
2011051673.tif 000006
【図５】
2011051673.tif 000007
【図６】
2011051673.tif 000008
【図７】
2011051673.tif 000009
【図８】
2011051673.tif 000010
【図９】
2011051673.tif 000011
【図１０】
2011051673.tif 000012